(57)【要約】【課題】保定枠部を移動可能にしたため、保定枠部を動物の繋留場所にあわせてその位置まで容易に移動することができる。この手術用動物搬送システムを使用すれば、多様な場所で大型動物の麻酔、ひいては手術がしやすい。【解決手段】動物を繋留場所から移動可能な保定枠部に移し、この保定枠部内で麻酔注射をして麻酔をかけ、その後、この麻酔をかけた動物を前記保定枠部よりも低い位置に配置した担架部に降ろし、その後、この担架部を動物と共に手術用架台部に載せ、その状態で所定の手術を行い、手術終了後所望の場所に運び、そこに移置する手術用動物搬送システムである。【選択図】    図８
2004275230.tif 000002
【特許請求の範囲】
【請求項１】
動物を繋留場所から移動可能な保定枠部に移し、この保定枠部内で麻酔注射をして麻酔をかけ、その後、この麻酔をかけた動物を前記保定枠部よりも低い位置に配置した担架部に降ろし、その後、この担架部を動物と共に手術用架台部に載せ、その状態で所定の手術を行い、手術終了後所望の場所に運び、そこに移置することを特徴とする手術用動物搬送システム。
【請求項２】
請求項１の手術用動物搬送システムにおいて、前記保定枠部に車輪を設置したことを特徴とする手術用動物搬送システム。
【請求項３】
請求項１の手術用動物搬送システムにおいて、前記担架部に車輪を設置したことを特徴とする手術用動物搬送システム。
【請求項４】
請求項１又は請求項２の手術用動物搬送システムにおいて、前記保定枠部は、動物誘導口と動物取出口を有し、前記動物誘導口には下辺にスロープ板が設けられているとともに両側辺にはガイド板が設けられていることを特徴とする手術用動物搬送システム。
【請求項５】
請求項１又は請求項２の手術用動物搬送システムにおいて、前記保定枠部は、動物誘導口と動物取出口を有し、前記動物取出口には上下方向に開放する観音開き用扉が設置されていることを特徴とする手術用動物搬送システム。
【発明の詳細な説明】
【０００１】
【産業上の利用分野】
この発明は手術用動物搬送システムに関し、手術を受ける動物を繋留場所から手術台に搬送し手術後もとに戻す際に使用される。
【０００２】
【従来の技術】
例えば、体細胞クローン豚の作出，胚の雌雄判別による生み分け、少容量精液を利用した人工受精などにおいては、該当する動物の開腹手術を行い、手術によりクローン胚、受精卵又は精液などを、卵管や子宮内に直接移植あるいは注入することが必要である。
【０００３】
そして、手術を受けるにあたって、動物は、一旦保定枠部内に入れられ、麻酔をかけられたのちに手術台に載せられていた。
【０００４】
【特許文献１】特開平１１−１３７５８４
【０００５】
【発明が解決しようとする課題】
しかしながら、かかる従来の手術用動物搬送システムにあっては、前記保定枠部が固定式のケージ等であったため、移動しにくく、この結果、多様な場所で大型動物の麻酔、ひいては手術がしにくいという不都合を有した。
【０００６】
この発明の課題はこれらの不都合を解消することである。
【０００７】
【課題を解決するための手段】
この発明に係る手術用動物搬送システムにおいては、動物を繋留場所から移動可能な保定枠部に移し、この保定枠部内で麻酔注射をして麻酔をかけ、その後、この麻酔をかけた動物を前記保定枠部よりも低い位置に配置した担架部に降ろし、その後、この担架部を動物と共に手術用架台部に載せ、その状態で所定の手術を行い、手術終了後所望の場所に運び、そこに移置するものであるため、即ち、前記保定枠部を移動可能にしたため、保定枠部を動物の繋留場所にあわせてその位置まで容易に移動することができるものである。
【０００８】
なお、前記保定枠部に車輪を設置すれば、この保定枠部を滑らかに移動させることができる。
【０００９】
また、前記担架部に車輪を設置すれば、この担架部を簡単に移動することができるため、大型動物の手術の作業能率を向上させることができる。
【００１０】
また、前記保定枠部に、動物誘導口と動物取出口を設け、前記動物誘導口の下辺にスロープ板を設けるとともにその両側辺にガイド板を設れば、繋留場所から動物を保定枠部の動物誘導口に誘導するにあたって、誘導途中における動物の逃げだしを防止できる結果、簡単に動物を保定枠部に誘導することができる。
【００１１】
また、前記保定枠部に、動物誘導口と動物取出口を設け、前記動物取出口に上下方向に開放する観音開き用扉を設置すれば、下方の扉を担架部との誘導スロープ板として使用できるため、麻酔をかけた動物を担架部に載置しやすいものである。
【００１２】
【発明の実施の態様】
図１〜図７は手術用動物搬送システムの操作手順の説明図、図８は保定枠部の正面図、図９は同平面図、図１０は左側面図、図１１は担架部の正面図、図１２は同平面図、図１３は左側面図、図１４架台部の正面図、図１５は平面図、図１６は左側面図である。
【００１３】
図１〜図７は手術用動物搬送システムの操作手順を示したものである。
【００１４】
図１は、手術する大型動物Ｐの居る場所に保定枠部１０を移動し、この保定枠部１０内に動物（この実施例では「成豚」）Ｐを導入する手順を説明している。この図において、トラック２０に設けられたケージ２１が本願発明の「繋留場所」に相当する。なお、この発明における「繋留場所」には、この移動式のもの以外に、通常の固定式のものも含まれる。
【００１５】
次に、前記保定枠部１０は函状であり、スロープ状のプラットホームＢに配置されている。この保定枠部１０は図８〜１０に示すように、長方形状の底板１１を有する。そして、この底板１１の長辺部に右側板１２と左側板１３と立設され、その短辺部に前格子部１４と後格子部１５とが立設された状態で互いに連設されている。前記前格子部１４は扉として開閉可能とし（図１０において、左側に蝶番あり）、開いたときの開口部１６はこの発明の「動物誘導口」として機能する。なお、１７は手摺り棒であり、前記保定枠部１０の上部に枠状に設置されている。
【００１６】
３０は動物取出口であり、前記右側板１２に形成されている。この動物取出口３０はは麻酔をかけた動物を前記保定枠部１０から排出する場所である。この動物取出口３０には、上下に開閉する観音開き扉３１，３２  が設置されている。このような上下に開閉する観音開き扉３１，３２  は両側に場所をとらないため狭い場所でも作業ができるとともに、下扉３２は動物を排出する際に誘導スロープとして機能する。なお、３３，３３，…は前記観音開き扉３１，３２  のロック装置である。
【００１７】
Ｃ，Ｃ，…はキャスター（この発明の「車輪」に相当する）であり、前記保定枠部１０の底板１１の下面に設置されている。このため、この保定枠部１０は自ら簡易に移動できるため、保定枠部を繋留場所（動物の）にあわせてその位置まで容易に移動することができる結果、多様な場所で大型動物の麻酔、ひいては手術がしやすい。
【００１８】
Ｒは梯子であり、前記左側板１３の手摺り棒１６に吊りかけられている。作業者（獣医）Ｍはこの梯子Ｒを途中まで登って前記保定枠部内１０の動物に麻酔注射をする。
【００１９】
次に、４０はスロープ板であり、前記保定枠部１０の前格子部１４の下辺側に着脱可能に設置されている。このスロープ板４０は繋留場所（トラック２０のケージ）２１の出口と前記保定枠部１０の前格子部１４とをスロープ状に繋ぐものであり、前格子部１４を開放した際の開口部（動物誘導口）１６に動物を誘導させるためのものである。４１，４１，…は踏板であり、前記スロープ板４０の表面に一定間隔を介して棚状に設置されている。この踏板４１，４１，…があると、動物Ｐはスロープ板４０を登りやすくなる。
【００２０】
次に、４５，４５  は一対のガイド板であり、前記保定枠部１０の前格子部１４の両側に着脱可能に設置されている。これらのガイド板４５，４５  は前記スロープ板４０の両側を囲むように配置され、前記スロープ板４０を歩む動物Ｐがスロープ板４０から逃げないようにしている。
【００２１】
以上のように構成される前記保定枠部１０に動物Ｐを導入するには、図１に示すように、まず、前記保定枠部１０を、トラック２０の停止している場所に移動させる。そして、前記前格子部１４を開け、動物誘導口１６を開放する。そして、トラック２０のケージ２１の出口との間に、前記スロープ板４０および前記ダイド板４５，４５  を配置する。その後、前記トラック２０のケージ２１の出口を開放し、一頭の動物を前記スロープ板４０を介して前記保定枠部１０内に導入する。その後、前記前格子部１４を閉め、動物誘導口１６を閉止する。
【００２２】
その後、図２に示すように、作業者（獣医）Ｍが前記梯子Ｒを登り、動物Ｐに麻酔液を注射して麻酔をかける。
【００２３】
その後、図３に示すように、担架部５０を、前記保定枠部１０の右側板１２に沿って配置する。このとき、前記担架部５０と前記保定枠部１０動物取出口３０の下辺よりも下方に位置している。その後、前記保定枠部１０における動物取出口３０の観音開き扉３１，３２  を開き、麻酔をかけた動物Ｐを担架部５０に移載する。
【００２４】
ところで、この担架部５０は、図１１〜図１３に示すように、略平行に配置された一対の基台５１，５２  を有している。５３，５３，…は支柱であり、前記基台５１，５２  の両端に立設されている。また、５４，５４  は連結板であり、前記一対の基台５１，５２  における支柱５３と支柱５３との間に掛け渡され、両者５１，５２  を連結固定している。
【００２５】
５５，５５，…は支持片であり、前記基台５１，５２  の中心と前記支柱５３，５３  の上端部との間に傾斜状に掛け渡された状態で固定されている。５６は断面Ｖ字状の動物載置板であり、前記支持片５５，５５，…に載せられた状態で固定されている。この動物載置板５６には手術をするために麻酔をかけられた動物が載置される。
【００２６】
５７，５７，５８，５８  は把手であり、前記動物載置板５６の四隅に突出固定されている。これらの把手５７，５７，５８，５８  は前記担架部５０を移動する際に作業者（獣医）Ｍが把持する部分である。
【００２７】
また、Ｃ，Ｃ，…はキャスター（この発明の「車輪」に相当する）であり、前記担架部５０における前記基台５１，５２  の下面に設置されている。このため、この担架部５０は自ら簡易に移動できるため、担架部５０を前記保定枠部１０の位置にあわせて容易に移動することができる。
【００２８】
なお、５９，５９，…は係止板であり、前記支柱５３，５３，…の上部に固定されている。この係止板５９は係止孔５９１  を有している。この係止孔５９１  には、吊り上げ用鎖Ａが着脱可能に係止される。
【００２９】
以上のように構成される前記担架部５０に麻酔された動物Ｐを載置するには、図３に示すように、担架部５０を、前記保定枠部１０の右側板１２に沿って配置し、動物取出口３０の観音開き扉３１，３２  を開き、麻酔をかけた動物Ｐを担架部５０に移載する。このとき、下方の観音開き扉３１は前記動物載置板（担架部５０の）５６との間において下がり傾斜状の掛け橋となり、所謂、スロープ板として機能する。
【００３０】
その後、図４に示すように、リフト装置Ｌにより、吊り上げ鎖Ａを介して前記担架部５０を吊り上げ、図５に示すように、手術用架台部（以下「架台部」と記す）６０に載せる。
【００３１】
ところで、この架台部６０は、図１４〜図１６に示すように、四角状の枠体からなる基台６１を有している。６２，６２  は支持筒であり、前記基台６１の短辺部の中心に立設された状態で固定されている。６３，６３  は進退杆であり、前記支持筒６２，６２  に進退可能に嵌挿され、固定ねじ６４，６４  によってその先端部が適宜高さになるように固定できる。この場合、将来、担架部５０を掛け止めしたとき、傾斜状になるように、片方の進退杆（図１４において右側）の方を高く設定してある。６５，６５  は掛止め具であり、前記進退杆６３，６３  の上端に固定されている。この掛止め具６５，６５  に、前記担架部５０を掛け止めすることにより、前記担架部５０は前記架台部６０に載せられる（図１４の仮想線を参照のこと）。６６，６６，６７，６７  は強度補強のための筋交い具であり、前記基台６１と前記支持筒６２，６２  との間に傾斜状に設置されている。
【００３２】
また、Ｃ，Ｃ，…はキャスターであり、前記架台部６０における前記基台６１の下面に設置されている。このため、この架台部６０は自ら簡易に移動できるため、担架部５０を載置する前は担架部５０の位置に合わせて移動しやすいとともに、載置した後は手術室へ移動しやすいものである。
【００３３】
このように構成される前記架台部６０に前記担架部５０を載置するには、前記したように（図４を参照のこと）リフト装置Ｌにより、吊り上げ鎖Ａを介して吊り上げ、架台部６０に載せる。このとき、担架部５０は傾斜した状態で載置されるが、動物Ｐの腹部が高い方に位置している。これは、腹部の手術を容易にするためである。
【００３４】
その後、図５に示すように、動物Ｐを載せた架台部６０を、手術室へ移動し、作業者（獣医）Ｍが所定の施術を行う。
【００３５】
その後、図６に示すように、リフト装置Ｌにより、吊り上げ鎖Ａを介して、前記担架部５０を吊り上げ、架台部６０から降ろす。
【００３６】
その後、図７に示すように、担架部５０を所望の場所に運び、片側の吊り上げ鎖を解いて担架部５０の片側の吊り上げ鎖Ａのみをリフト装置Ｌで持ち上げ、動物Ｐを下に降ろし、その場所に移置する。
【００３７】
【発明の効果】
この発明に係る手術用動物搬送システムは、動物を繋留場所から移動可能な保定枠部に移し、この保定枠部内で麻酔注射をして麻酔をかけ、その後、この麻酔をかけた動物を前記保定枠部よりも低い位置に配置した担架部に降ろし、その後、この担架部を動物と共に手術用架台部に載せ、その状態で所定の手術を行い、手術終了後所望の場所に運び、そこに移置するものであるため、即ち、前記保定枠部を移動可能にしたため、保定枠部を動物の繋留場所にあわせてその位置まで容易に移動することができる。
【００３８】
よって、この手術用動物搬送システムを使用すれば、多様な場所で大型動物の麻酔、ひいては手術がしやすいものである。
【００３９】
なお、前記保定枠部に車輪を設置すれば、この保定枠部を滑らかに移動させることができる。
【００４０】
また、前記担架部に車輪を設置すれば、この担架部を簡単に移動することができるため、大型動物の手術の作業能率を向上させることができる。
【００４１】
また、前記保定枠部に、動物誘導口と動物取出口を設け、前記動物誘導口の下辺にスロープ板を設けるとともにその両側辺にガイド板を設れば、繋留場所から動物を保定枠部の動物誘導口に誘導するにあたって、誘導途中における動物の逃げだしを防止できる結果、簡単に動物を保定枠部に誘導することができる。
【００４２】
また、前記保定枠部に、動物誘導口と動物取出口を設け、前記動物取出口に上下方向に開放する観音開き用扉を設置すれば、下方の扉を担架部との誘導スロープ板として使用できるため、麻酔をかけた動物を担架部に載置しやすいものである。
【図面の簡単な説明】
【図１】手術用動物搬送システムの操作手順の説明図である。
【図２】同説明図である。
【図３】同説明図である。
【図４】同説明図である。
【図５】同説明図である。
【図６】同説明図である。
【図７】同説明図である。
【図８】保定枠部の正面図である。
【図９】同平面図である。
【図１０】同左側面図である。
【図１１】担架部の正面図である。
【図１２】同平面図である。
【図１３】左側面図である。
【図１４】架台部の正面図である。
【図１５】同平面図である。
【図１６】同左側面図である。
【符号の説明】
Ｃ  …  キャスター（車輪）
Ｐ  …  動物
１０  …  保定枠部
１６  …  開口部（動物誘導口）
２１  …  ケージ（繋留場所）
３０  …  動物取出口
３１  …  観音開き用扉
３２  …  観音開き用扉
４０  …  スロープ板
４５  …  ガイド板
５０  …  担架部
６０  …  手術用架台部
【図１】
2004275230.tif 000003
【図２】
2004275230.tif 000004
【図３】
2004275230.tif 000005
【図４】
2004275230.tif 000006
【図５】
2004275230.tif 000007
【図６】
2004275230.tif 000008
【図７】
2004275230.tif 000009
【図８】
2004275230.tif 000010
【図９】
2004275230.tif 000011
【図１０】
2004275230.tif 000012
【図１１】
2004275230.tif 000013
【図１２】
2004275230.tif 000014
【図１３】
2004275230.tif 000015
【図１４】
2004275230.tif 000016
【図１５】
2004275230.tif 000017
【図１６】
2004275230.tif 000018